【手続補正書】
【提出日】平成18年12月5日(2006.12.5)
【手続補正１】
【補正対象書類名】明細書
【補正対象項目名】特許請求の範囲
【補正方法】変更
【補正の内容】
【特許請求の範囲】
【請求項１】  第１のパラメータを変化させることによりブラケティング撮影する第１の撮影機能と、第２のパラメータを変化させることによりブラケティング撮影する第２の撮影機能とを有する撮像装置であって、
前記第１，第２の撮影機能の何れか一方の撮影機能が選択されている場合、他の撮影機能の動作を禁止する制御手段を有することを特徴とする撮像装置。
【請求項２】  請求項１記載の撮像装置において、前記第１のパラメータは、撮影画像の色温度を補正するための色温度補正値であることを特徴とする撮像装置。
【請求項３】  請求項１記載の撮像装置において、前記第２のパラメータは、露出制御パラメータであることを特徴とする撮像装置。
【請求項４】  請求項１記載の撮像装置において、前記第１，第２の撮影機能の何れかが設定された際に設定された撮影機能の設定を表示する表示手段を有することを特徴とする撮像装置。
【請求項５】  請求項４記載の撮像装置において、前記表示手段は、前記設定された撮影機能に対応するアイコンを点滅させて設定状態であることを表示することを特徴とする撮像装置。
【請求項６】  請求項１記載の撮像装置において、前記制御手段によって禁止された撮影機能を表示する表示手段を有することを特徴とする撮像装置。
【請求項７】  請求項６記載の撮像装置において、前記表示手段は、前記制御手段によって禁止された撮影機能に対応するアイコンを点滅させることで当該撮影機能の設定の禁止を表示することを特徴とする撮像装置。
【請求項８】  請求項６記載の撮像装置において、前記表示手段は、前記制御手段によって禁止された撮影機能の設定値を点滅させ、あるいは設定不可能な数値を表示することで設定禁止を表示することを特徴とする撮像装置。
【請求項９】  第１のパラメータを変化させることによりブラケティング撮影する第１の撮影機能と、第２のパラメータを変化させることによりブラケティング撮影する第２の撮影機能とを有し、前記第１，第２の撮影機能の何れか一方の撮影機能が選択されている場合、他の撮影機能の動作を禁止する制御手段を具備する撮像装置の操作制御システムであって、
前記第１のパラメータは、撮影画像の色温度を補正するための色温度補正値であり、
前記第２のパラメータは、露出制御パラメータであり、
前記第１，第２の撮影機能の何れかが設定された際に設定された撮影機能の設定を表示する表示手段と、
前記制御手段によって禁止された撮影機能を表示する表示手段と、を備え、
前記設定された撮影機能の設定を表示する表示手段は、該設定された撮影機能に対応するアイコンを点滅させて設定状態であることを表示し、
前記制御手段によって禁止された撮影機能を表示する表示手段は、該禁止された撮影機能に対応するアイコンを点滅させることで当該撮影機能の設定の禁止を表示すると共に、該禁止された撮影機能の設定値を点滅させ、あるいは設定不可能な数値を表示することで設定禁止を表示することを特徴とする撮像装置の操作制御システム。
【手続補正２】
【補正対象書類名】明細書
【補正対象項目名】０００１
【補正方法】変更
【補正の内容】
【０００１】
【発明の属する技術分野】
本発明は、撮像装置及び該撮像装置の操作制御システムに関し、特にホワイトバランス調整装置を内蔵したデジタルカメラ等の撮像装置に関する。
【手続補正３】
【補正対象書類名】明細書
【補正対象項目名】００１１
【補正方法】変更
【補正の内容】
【００１１】
ＡＥブラケティングにおいては、特開平８−２９８２８に挙げられるように、露出の要素内で複数ブラケティング設定が行えるようなカメラにおいては、同じ要素における撮影データの複数種類の撮影条件を変更して設定できるために設定を禁じているものはあったが、ホワイトバランスなどデジタルカメラに必要な画像処理が必要なカメラの補正などの操作性に関しては解決されないでいた。
【手続補正４】
【補正対象書類名】明細書
【補正対象項目名】００１２
【補正方法】変更
【補正の内容】
【００１２】
本発明は、上述の状況に鑑みて成されたもので、ホワイトバランスブラケティング撮影機能と、それ以外のブラケティング撮影が可能な例えば電子カメラ等の撮像装置及び該撮像装置の操作制御システムにおいて、ユーザーが不用意に両方のブラケティング撮影を設定してしまうという不都合な事態を回避可能なシステムを備え、操作性の良い例えばデジタルカメラ等の撮像装置及び該撮像装置の操作制御システムを提供することを目的とする。
【手続補正５】
【補正対象書類名】明細書
【補正対象項目名】００１４
【補正方法】変更
【補正の内容】
【００１４】
（１）第１のパラメータを変化させることによりブラケティング撮影する第１の撮影機能と、第２のパラメータを変化させることによりブラケティング撮影する第２の撮影機能とを有する撮像装置であって、前記第１，第２の撮影機能の何れか一方の撮影機能が選択されている場合、他の撮影機能の動作を禁止する制御手段を有することを特徴とする撮像装置。
（２）前記（１）記載の撮像装置において、前記第１のパラメータは、撮影画像の色温度を補正するための色温度補正値であることを特徴とする撮像装置。
（３）前記（１）記載の撮像装置において、前記第２のパラメータは、露出制御パラメータであることを特徴とする撮像装置。
（４）前記（１）記載の撮像装置において、前記第１，第２の撮影機能の何れかが設定された際に設定された撮影機能の設定を表示する表示手段を有することを特徴とする撮像装置。
（５）前記（４）記載の撮像装置において、前記表示手段は、前記設定された撮影機能に対応するアイコンを点滅させて設定状態であることを表示することを特徴とする撮像装置。
（６）前記（１）記載の撮像装置において、前記制御手段によって禁止された撮影機能を表示する表示手段を有することを特徴とする撮像装置。
（７）前記（６）記載の撮像装置において、前記表示手段は、前記制御手段によって禁止された撮影機能に対応するアイコンを点滅させることで当該撮影機能の設定の禁止を表示することを特徴とする撮像装置。
（８）前記（６）記載の撮像装置において、前記表示手段は、前記制御手段によって禁止された撮影機能の設定値を点滅させ、あるいは設定不可能な数値を表示することで設定禁止を表示することを特徴とする撮像装置。
（９）第１のパラメータを変化させることによりブラケティング撮影する第１の撮影機能と、第２のパラメータを変化させることによりブラケティング撮影する第２の撮影機能とを有し、前記第１，第２の撮影機能の何れか一方の撮影機能が選択されている場合、他の撮影機能の動作を禁止する制御手段を具備する撮像装置の操作制御システムであって、前記第１のパラメータは、撮影画像の色温度を補正するための色温度補正値であり、前記第２のパラメータは、露出制御パラメータであり、前記第１，第２の撮影機能の何れかが設定された際に設定された撮影機能の設定を表示する表示手段と、前記制御手段によって禁止された撮影機能を表示する表示手段と、を備え、前記設定された撮影機能の設定を表示する表示手段は、該設定された撮影機能に対応するアイコンを点滅させて設定状態であることを表示し、前記制御手段によって禁止された撮影機能を表示する表示手段は、該禁止された撮影機能に対応するアイコンを点滅させることで当該撮影機能の設定の禁止を表示すると共に、該禁止された撮影機能の設定値を点滅させ、あるいは設定不可能な数値を表示することで設定禁止を表示することを特徴とする撮像装置の操作制御システム。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００７４
【補正方法】変更
【補正の内容】
【００７４】
図６（ｂ）の状態のままで画像表示ボタン３７を離す操作を行えば、標準ホワイトバランス値に対して、プラス２段およびマイナス２段の３枚の露光制御を行う事がカメラに設定され、図６（ｃ）の表示になる。図４とは１０１の「ＡＷＢ」が点滅している以外は変わらない。撮影者は、ホワイトバランスを示すアイコンが点滅することによって現在ホワイトバランスブラケティング撮影が設定されていることを容易に知ることができる。
【手続補正１５】
【補正対象書類名】明細書
【補正対象項目名】００７９
【補正方法】変更
【補正の内容】
【００７９】
図８の状態は、図３での説明のように撮影モード選択ボタン３４とＡＦモード選択ボタン３５を同時に押し続けた状態で、第２の情報入力手段３３を３クリック分操作した状態を表している。アイコン２１０は、ＡＥブラケティング撮影モードであることを表し、中央部の「０」マーク部２０６ｂを標準露出とし、マーク２０６ａ〜２０６ｃで示したところがブラケティング撮影として設定された露出制御の補正段数となる。つまり標準露出値に対して、プラス１段およびマイナス１段、合計３枚の露光制御を行う設定と言うことである。
【手続補正１６】
【補正対象書類名】明細書
【補正対象項目名】００８３
【補正方法】変更
【補正の内容】
【００８３】
図９において、絞り値２０２の「０．０」の表示が点滅することで、撮影者に２重のブラケティング撮影の設定禁止を警告している。この状態で、第２の情報入力手段３３をクリックしても、マーク２０６は変化せず、ＡＥブラケティング撮影の設定はできない。
【手続補正１７】
【補正対象書類名】図面
【補正対象項目名】図１
【補正方法】変更
【補正の内容】
【図１】
2003143458.tif 000001
【手続補正１８】
【補正対象書類名】図面
【補正対象項目名】図２
【補正方法】変更
【補正の内容】
【図２】
2003143458.tif 000002
【手続補正１９】
【補正対象書類名】図面
【補正対象項目名】図９
【補正方法】変更
【補正の内容】
【図９】
2003143458.tif 000003